(57)【要約】【課題】モーターを用いない簡単かつ安価な構成で、支柱横断面サイズを比較的小さくするとともに、容易、迅速に昇降できるようにする。【解決手段】手動操作空間を確保しつつ衝突音を発生させずしかも円滑に昇降させるため、中空支柱１１と同心にロッド１３が配置され、ロッド１３にウンターウエイト１４が外挿され、ウンターウエイト１４上端に２本のワイヤロープ２６１、２６２の一端が係着され、プーリー２７１、２７２、２８１、２８２を介してワイヤロープ２６１の他端に灯具２０が係着されている。手動操作を行う支柱開口部には、灯具２０の拘束／解除とウンターウエイト１４の拘束／解除とを連動して行うストッパーが配設されている。高所設置物が看板の場合、安全性を高めるため、看板下方にストッパーが看板と接近して蝶着され、これを回動させると看板降下路から退避する。【選択図】図１
2006196442.tif 000002
【特許請求の範囲】
【請求項１】
立設された中空支柱の上部に高所設置物が係止され、該高所設置物を昇降させる支柱型高所設置物昇降装置において、
該中空支柱内に該中空支柱の長手方向へ延設され、該中空支柱に固定された案内線部材と、
該案内線部材に沿って昇降するように該案内線部材と係合するカウンターウエイトと、
一端が該カウンターウエイトの上端部に係着され、他端が該高所設置物に係着されたロープと、
該カウンターウエイトの上方位置と該高所設置物の上方位置とに配設され、該ロープが掛けられて該ロープを案内する第１及び第２のプーリーと、
該高所設置物を上限位置に保持する保持手段と、
該中空支柱の長手方向中間部に形成された開口と、該開口を開閉自在に閉じる蓋とを備え、該開口を介し該カウンターウエイトを把持して昇降させるための昇降手動操作部と
を有することを特徴とする支柱型高所設置物昇降装置。
【請求項２】
該カウンターウエイトの重量は該高所設置物の重量に略等しく、該カウンターウエイトの長さは、該開口を介し該カウンターウエイトを把持して該高所設置物を地上高さ２ｍ以下まで降下させることができる長さであることを特徴とする請求項１に記載の支柱型高所設置物昇降装置。
【請求項３】
該案内線部材は該中空支柱と略同心に配置されたロッド又はロープであり、該ロッド又はロープの上端部と下端部が部材を介して該中空支柱に固定され、
該カウンターウエイトは金属筒であり、
該金属筒に該ロッドが挿通されていることを特徴とする請求項２に記載の支柱型高所設置物昇降装置。
【請求項４】
該保持手段は、
該カウンターウエイトの上部に突設された突起と、
該中空支柱内に軸支され、保持位置で該突起と掛合する掛合部が形され、該保持位置で先端部が係着されるアームと
を有することを特徴とする請求項２又は３に記載の支柱型高所設置物昇降装置。
【請求項５】
該保持手段はさらに、
該高所設置物に形成された孔部又はピンと、
ピン又は孔部と、
該ピン又は孔部が該高所設置物の該孔又はピンと係合／離脱するように該ピン又は孔部を直線移動自在に支持し、該ピン又は孔部を離脱方向へ付勢する弾性体を備えた支持部と、
一端部が該ピン又は孔部に係着され、他端部が該アームの、該アームの支軸から離れた位置に係着されたフレキシブル線部材と
を有し、該アームが該保持位置に在るとき該フレキシブル線部材が弛緩して該係合／離脱が係合状態となり、該アームが該保持位置に在るとき該フレキシブル線部材が弛緩していて該係合／離脱が係合状態となり、該アームが該解放位置に在るとき該フレキシブル線部材が緊張していて該係合／離脱が離脱状態となるようにしたことを特徴とする請求項４に記載の支柱型高所設置物昇降装置。
【請求項６】
該高所設置物は、
電灯と、
該電灯の上部を覆う笠部と、
該電灯を該笠部に支持する支持部と、
該笠部に設けられた該孔部又はピンと
を有することを特徴とする請求項２乃至５のいずれか１つに記載の支柱型高所設置物昇降装置。
【請求項７】
該中空支柱に固定され底面に開口が形成されたハウジングをさらに有し、
該高所設置物は、該開口を通って該ハウジング内に収容される看板を有し、
該保持手段は、
該中空支柱の側面かつ該ハウジングの下方に、該看板と略同一面内の受け位置と該看板の昇降を妨げない逃げ位置との間で回動自在に、該中空支柱に沿って蝶番で取り付けられ、該受け位置で該看板に近接する受け部を有するストッパー部材と、
該受け位置で該部材の回動を阻止する手段と
を有することを特徴とする請求項２乃至５のいずれか１つに記載の支柱型高所設置物昇降装置。
【請求項８】
該回動を阻止する手段は、
該ストッパー部材と該中空支柱とに対応してそれぞれ形成された孔と雌ねじと、
該孔を通って該雌ねじに螺合されるねじと
を有することを特徴とする請求項７に記載の支柱型高所設置物昇降装置。
【請求項９】
該案内線部材は該中空支柱の内壁対向面に対向して突設された一対の線状部材であり、
該カウンターウエイトは、一対の平板と、該一対の平板間に固着された板状スペーサと、該一対の平板の一方の表面中央部に立設された線状取っ手とを有し、
該線状取っ手が該開口側に位置するように、該一対の平板の対向面と該板状スペーサの端面とで形成された一対の溝部の一方及び他方にそれぞれ該一対の線状部材の一方及び他方が挿入されることを特徴とする請求項１又は２に記載の支柱型高所設置物昇降装置。
【請求項１０】
該保持手段は、
ピン部材と、該カウンターウエイトの上部に固定され該中空支柱の長手方向と直角な方向に該ピン部材を案内するガイド部と備えた掛止具と、
該中空支柱の内壁面に固定され、該ピン部材が挿入される孔を備えた被掛止具と、
を有することを特徴とする請求項９に記載の支柱型高所設置物昇降装置。
【請求項１１】
該中空支柱の外面の一面にその長手方向に沿って固着された線状ガイドと、
一部が該高所設置物に固着され、該線状ガイドと係合して該線状ガイドに案内されて直線移動する係合部とを有する被案内具と、
をさらに有することを特徴とする請求項９又は穴１０に記載の支柱型高所設置物昇降装置。
【請求項１２】
該保持手段は、
回動自在に支持され、回動方向に係合凹部が形成された掛止具と、
ピン部材とを有し、
該掛止具と該ピン部材との一方が該被案具の下部に固着され、該掛止具と該ピン部材との他方が該中空支柱の側面に固着され、
該高所設置物が下限位置まで下降した時に該掛止具が該ピン部材に押されて該掛止具が回動し該係合凹部に該ピン部材が係合して該高所設置物の上下方向移動を阻止するように該掛止具が形成されていることを特徴とする請求項１１に記載の支柱型高所設置物昇降装置。
【請求項１３】
該線状ガイドは横断面が略Ｃ字形であり、その開口部が該中空支柱の外側に位置し、
該線状ガイドを覆って該中空支柱の側面に固定される線状カバーをさらに有し、
該高所設置物が上限位置に在るときに該線状カバーで該線状ガイドを覆って該線状カバーを該中空支柱の側面に固定することにより、該高所設置物の落下を防止するようにしたことを特徴とする請求項１２に記載の支柱型高所設置物昇降装置。
【請求項１４】
該中空支柱に固定され底面に開口が形成された略直方体のハウジングをさらに有し、
該高所設置物は、該開口を通って該ハウジング内に収容される略直方体の看体を有し、
第１及び第２の横断面Ｌ字型線状部材と、
該中空支柱から離れた側に位置する一対の、該ハウジングの内側角部に固定され、該第１及び第２の横断面Ｌ字型線状部材を該中空支柱と平行な方向に案内する第１及び第２の案内部材と、
該第１及び第２の横断面Ｌ字型線状部材の上端部に設けられ、該第１及び第２の案内部材の上端部に当接して該第１及び第２の横断面Ｌ字型線状部材の下降を制限するとともに、該看体の上昇時に該看体の上面と当接して押し上げられるストッパー部材と、
をさらに有し、該第１及び第２の横断面Ｌ字型線状部材の凹部がそれぞれ該看体の第１及び第２の角部に対応させて、該看体を昇降させる際に地震により該看体が揺れるのを規制するように構成したことを特徴とする請求項１、２、９乃至１３のいずれか１つに記載の支柱型高所設置物昇降装置。
【請求項１５】
該高所設置物を介し対向して配設される一対の該中空支柱を有し、
該昇降手動操作部を、該一対の中空支柱の少なくとも一方に有し、
該一対の中空支柱のそれぞれの内側に配置される第１及び第２の該カウンターウエイトの重量は互いに略等しく、該第１及び第２のカウンターウエイトの重量の合計が該高所設置物の重量に略等しいこと特徴とする請求項１、２又は９のいずれか１つに記載の支柱型高所設置物昇降装置。
【発明の詳細な説明】
【技術分野】
【０００１】
本発明は、支柱上部に設置される街路灯や看板等の高所設置物を昇降させる支柱型高所設置物昇降装置に関する。
【背景技術】
【０００２】
街路灯や看板等の高所設置物のメンテナンスを容易にするために、高所設置物を昇降式にしたものが提案されている。
【０００３】
下記特許文献１には、バランスウエイトと灯具とをそれぞれ第１及び第２のワイヤロープに連結し、第１及び第２のワイヤロープをそれぞれ同軸一体で径の異なるドラムに巻回し、このドラムをモータで回転駆動することにより、灯具を昇降させる構成が開示されている。
【０００４】
しかし、モーターで駆動するので、設備が高価になるとともに、モーターのメンテナンスも必要になる。また、バランスウエイトが大形であり、安全のためにはバランスウエイトを囲繞する必要があるので、装置が大形になる。
【０００５】
下記特許文献２には、灯具に挟持ローラーを備え、支柱の１面をレールとし、挟持ローラーでレールを挟持し、ローラー支持台をループ状ワイヤロープに連結し、ワイヤロープを駆動プーリーに巻き掛け、ウォームホイールとウォームを介し駆動プーリーをモーターで回転駆動することにより、灯具を昇降させる構成が開示されている。
【０００６】
しかし、防雨用カバーで支柱及び灯具を覆う必要があるので、横断面サイズが大きくなる。また、モーターで駆動するので、上記同様の問題が生ずる。この問題を解消するため、駆動プーリーを手動回転させる構成にすれば、ウォームホイールとウォームを介し駆動プーリーを回転させなければならないので、減速比が大きく、昇降速度が遅くなり過ぎる。ウォームホイールとウォームを省略して上記バランスウエイトを用いる構成も考えられるが、上述のように装置が大形になる。また、昇降距離が比較的長いので、ワイヤロープを手で把持して昇降させなければならず、操作性が悪い。
【０００７】
下記特許文献３には、看板と巻取ドラムとの間をワイヤロープで連結し、ワイヤロープをプーリーに掛け、巻取ドラムを手動ウインチで回転駆動することにより、看板を昇降させる構成が開示されている。
【０００８】
しかし、実際には減速比の大きいウォームホイールとウォームを用いざるを得ず、上記同様の問題が生ずる。また、看板落下に対しストッパーを備えているが、看板を昇降させる必要があるのでストッパー位置が比較的低く、落下防止が不充分である。
【特許文献１】特開２０００−１１７１０号公報
【特許文献２】特開平６−１７６６１４号公報
【特許文献３】実開平７−１６９７３号公報
【発明の開示】
【発明が解決しようとする課題】
【０００９】
本発明の目的は、上記問題点に鑑み、モーターを用いない簡単かつ安価な構成で、支柱横断面サイズを比較的小さくするすることができるとともに、容易、迅速に昇降させることができる支柱型高所設置物昇降装置を提供することにある。
【課題を解決するための手段】
【００１０】
本発明による支柱型高所設置物昇降装置の第１態様では、
中空支柱（１１）内に該中空支柱の長手方向へ延設され、該中空支柱に固定された案内線部材（１３）と、
該案内線部材に沿って昇降するように該案内線部材と係合するカウンターウエイト（１４）と、
一端が該カウンターウエイトの上端部に係止され、他端が高所設置物（２０）に係止されたワイヤロープ（２６１）と、
該カウンターウエイトの上方位置と該高所設置物の上方位置とに配設され、該ワイヤロープが掛けられて該ワイヤロープを案内する第１及び第２のプーリー（２７１、２８１）と、
該高所設置物を上限位置に保持する保持手段（３０又は５０）と、
該中空支柱の長手方向中間部に形成された開口（４０）と、該開口を開閉自在に閉じる蓋（４１）とを備え、該開口を介し該カウンターウエイトを把持して昇降させるための昇降手動操作部とを有する。
【００１１】
該カウンターウエイトの重量は該高所設置物の重量に略等しく、該カウンターウエイトの長さは、該開口を介し該カウンターウエイトを把持して該高所設置物を地上高さ２ｍ以下まで降下させることができる長さである。ここに「略等しく」は、該カウンターウエイトをフリーにした状態で該カウンターウエイトが停止する程度に両重量が等しいことが取り扱いの安全上好ましい。
【００１２】
本発明による支柱型高所設置物昇降装置の第２態様では、上記第１態様において、
該カウンターウエイトは金属筒であり、
該金属筒に該ロッドが挿通されている。
【００１３】
本発明による支柱型高所設置物昇降装置の第３態様では、上記第１又は２態様において、例えば図１６、１９に示す如く、
該案内線部材は該中空支柱（１１）の内壁対向面に対向して突設された一対の線状部材（１３Ｃ）であり、
該カウンターウエイト（１４Ｃ）は、一対の平板（１４１、１４２）と、該一対の平板間に固着された板状スペーサ（１４３）と、該一対の平板の一方の表面中央部に立設された線状取っ手（１４５）とを有し、
該線状取っ手が該開口（４０Ａ）側に位置するように、該一対の平板の対向面と該板状スペーサの端面とで形成された一対の溝部の一方及び他方にそれぞれ該一対の線状部材（１３Ｃ）の一方及び他方が挿入される。
【発明の効果】
【００１４】
上記第１態様の構成によれば、構成が簡単であり、開口を介してカウンターウエイトを把持し、カウンターウエイトを上下動させることにより、高所設置物を容易に昇降させることができる。
【００１５】
昇降用モーターを用いていないので、安価に構成できるとともに、余分なメンテナンスが不要となる。
【００１６】
また、ウォームホイールとウォームのギヤを用いる必要がないので、カウンターウエイトを比較的高速に昇降動作させることができる。
【００１７】
さらに、上記構成からカウンターウエイトが比較的長いので、カウンターウエイトの横断面を狭くすることでき、横断面が比較的狭い、スリムな中空支柱を用いることができる。
【００１８】
また、カウンターウエイトが案内線部材に案内されているので、地面が振動してもカウンターウエイトが支柱の内壁と衝突するのを防止でき、異音発生による不安感を周囲の人に与えることがないとともに、安定した昇降動作が可能となる。
【００１９】
カウンターウエイトを中空支柱地下部に入れることもできるので、比較的高い支柱型高所設置物昇降装置を構成することが可能となる。
【００２０】
上記第２態様の構成によれば、より安価にかつより短時間で組み立てることができ、さらに、略軸対称で支柱内軸芯部にカウンターウエイトを配置させることができるので、カウンターウエイト把持空間が確保されてカウンターウエイトを容易に把持できるとともに昇降動作時の摺動抵抗が小さくなり、操作性がよい。
【００２１】
本第２実施態様はこのような効果を奏するので、実用性が高く、特に高所設置物を看板とした場合には、安価かつ簡単な構成で看板を容易、迅速、かつ安全に昇降させることができるので、需要増大に寄与するところが大きい。
【００２２】
上記第３態様の構成によれば、カウンターウエイトを中空支柱内の一方側に配置させることができるので、中空支柱を、昇降しない従来の固定式看板等の中空支柱と同程度のサイズにしても、取っ手を把持してカウンターウエイトを昇降させるためのスペースが充分となり、実用性が高い。
【００２３】
本発明の他の目的、構成及び効果は以下の説明から明らかになる。
【００２４】
以下、図面に基づいて本発明の実施例を説明する。図面において、同一又は類似の要素には、同一又は類似の符号を付している。
【実施例１】
【００２５】
図１は、本発明の実施例１の支柱型灯具昇降式街路灯の一部縦断面図であり、図１（Ａ）及び（Ｂ）はそれぞれ灯具２０が上限位置及び下限より少し上の位置にある場合を示す。図２は、図１（Ａ）の一部を省略した拡大縦断面図である。
【００２６】
この街路灯では、地中に掘った穴１０に、角形鋼管の支柱１１の下部が挿入され、その周囲にコンクリートが打設されて基礎コンクリート１２が構築されている。
【００２７】
支柱１１には、ガイドロッド１３が支柱１１と同心に挿設され、ガイドロッド１３に、金属製筒形カウンターウエイト１４が外挿されている。
【００２８】
ガイドロッド１３の下端部及び上端部はそれぞれ、底板１５及びブリッジ１６を介して支柱１１に固定されている。すなわち、図２に示す如く、横断面正方形の支柱１１の底面開口に矩形底板１５が熔着され、底板１５の中央部に孔が穿設され、これに、ガイドロッド１３の下端部が嵌合されている。また、支柱１１内上部にブリッジ１６の両端部が熔着され、ブリッジ１６に形成されたＵ字形切欠にガイドロッド１３の上端部が係合され、ガイドロッド１３の上端部にブリッジ１６を挟んでナット１７１及び１７２が螺合されて、ガイドロッド１３が固定されている。ブリッジ１６には、後述のワイヤロープが通される孔が３つ穿設されている。
【００２９】
支柱１１の上端部には、片持梁式の灯具支持部１８が突設されている。図２では、支柱１１と灯具支持部１８との接続部が簡略図示されている。灯具支持部１８の下面には凹部１９が形成され、これに灯具２０が下側から嵌合される。
【００３０】
灯具２０では、電灯２１が支持部材２２を介して笠２３の内側面に固着され、笠２３の上面中央部に円錐台形のヘッド２４が突設されている。
【００３１】
一方、図３に示す如く、カウンターウエイト１４の上端面の対向する一対の角部には、係止環２５１及び２５２が熔着され、これらの環にワイヤロープ２６１及び２６２の一端部が係着されている。ワイヤロープ２６１及び２６２はそれぞれ、図２に示す如く、ブリッジ１６の孔を通って上方のプーリー２７１及び２７２に掛けられ、水平に伸び、さらにプーリー２８１及び２８２に掛けられて垂下し、ヘッド２４の上端面２箇所に係着されている。
【００３２】
凹部１９の上面には、安全性を高めるため、灯具２０に対するストッパー３０が備えられている。すなわち、シリンダー３１が凹部１９の上面に固着され、シリンダー３１にプランジャ３２が挿通され、プランジャ３２に形成されたフランジ３３とシリンダー３１との間にコイルスプリング３４が介装されている。
【００３３】
ヘッド２４には孔３５が形成され、これにプランジャ３２の先端部が挿通される。図２の状態では、凹部１９の上面に固着された支持片３６上にプランジャ３２の先端部が乗っている。
【００３４】
プランジャ３２の基端部には、ワイヤロープ３７の一端部が係着されている。ワイヤロープ３７は、プーリー３８に掛けられて垂下し、ブリッジ１６の孔に挿通されている。プーリー３８は、灯具支持部１８の側面に立設されたブラケット３９に支持されている。
【００３５】
図１の状態では、ワイヤロープ２６１及び２６２が少し緊張した状態で、カウンターウエイト１４の下端が底板１５上に接している。ワイヤロープ３７を引いてプランジャ３２の先端部を孔３５から抜き、この状態でカウンターウエイト１４を持ち上げると、灯具２０が垂下し、図１（Ｂ）に示す状態となる。
【００３６】
図５は、支柱型灯具昇降式街路灯の正面図であり、支柱１１の中間部に形成された開口部４０に蓋４１がボルトで螺着されている。笠２３を交換する際に蓋４１が取り外され、開口部４０を介しカウンターウエイト１４を把持してカウンターウエイト１４を上下動させることにより、灯具２０が昇降する。図６（Ａ）及び（Ｂ）はそれぞれ、蓋４１を取り外した状態での図１（Ａ）及び（Ｂ）の構成に対応している。
【００３７】
図１において、支柱１１の地中長さをＨ０、地面から開口部４０の下端までの距離をＨ１，開口部４０の高さをＨ２、開口部４０の上端からブリッジ１６までの長さをＨ３、ブリッジ１６から灯具支持部１８の上面までの長さをＨ４と表記すると、これらの値は、例えば次の通りである。
【００３８】
Ｈ０＝１２００、Ｈ１＝１１００、Ｈ２＝５５００、Ｈ３＝２６００、Ｈ４＝３００  （単位はｍｍ）
この場合、街路灯の地上高さは４５００ｍｍであり、カウンターウエイト１４の長さを例えば２６００ｍｍとすることにより、灯具２０が上限及び下限の位置に在るときにそれぞれカウンターウエイト１４の上端及び下端が開口部４０の範囲内に位置する。これにより、開口部４０を介してカウンターウエイト１４を昇降動作させることができる。
【００３９】
次に、カウンターウエイト１４に対する制限について説明する。
【００４０】
カウンターウエイト１４の長さＬについては、図１（Ａ）から、決められた街路灯高さＨ１＋Ｈ２＋Ｈ３＋Ｈ４、及び、平均的な身長の作業者が昇降作業を容易に行える開口部４０の中心高さＨ１＋Ｈ２／２及びその長さＨ２に対し、開口部４０を介しカウンターウエイト１４を把持しながら昇降動作を容易に行えるようにするには、Ｈ０＋Ｈ１≦ＬかつＨ３≦Ｌを満たす必要がある。Ｌ＝２７００ｍｍとすると、図１（Ａ）の場合、１２００＋１１００≦２７００かつ２６００≦２７００を満たしている。
【００４１】
また、カウンターウエイト１４の昇降距離ＭＬ＝Ｈ０＋Ｈ１＋Ｈ２＋Ｈ３−Ｌを長くするには、カウンターウエイト１４の長さＬを短くする必要がある。上記数値例の場合、この昇降距離ＭＬは、５４０００−２７００＝２７００ｍｍである。灯具２０の上限位置が範囲Ｈ４の中点であるとすると、灯具２０の下限位置の地上からの高さ（下限高さ）は、Ｈ１＋Ｈ２＋Ｈ３＋Ｈ４／２−ＭＬ＝Ｈ４／２−Ｈ０＋Ｌである。上記数値例の場合、この下限高さは１５０−１２００＋２７００＝１６５０ｍｍであり、平均的な身長の作業者が電灯取り換え作業を容易に行える高さである。
【００４２】
カウンターウエイト１４の重量は、灯具２０のそれと略同一であることが、手動操作を容易にする上で好ましい。この場合、安全性をより高くするには、カウンターウエイト１４の重量を灯具２０のそれより少し重くして、不用意に灯具２０が落下しないようにするのが好ましい。カウンターウエイト１４を手放してカウンターウエイト１４が下降する場合には、１人で電灯取換作業ができるようにするため、電灯取換作業時において灯具２０に不図示の錘を係止させるか、或いはカウンターウエイト１４の不図示の孔又は突起にピンを係合させ該ピンの一端を支柱１１の内壁に固定させる。
【００４３】
例えば、灯具２０が１ｋｇであるとき、カウンターウエイト１４をこれと略同一、例えば１．１ｋｇにする。この場合、カウンターウエイト１４の材料は１．１ｋｍ／２．７ｍ＝０．４１ｋｇ／ｍでなければならない。例えば、市販のアルミ合金（6063）角パイプ、２５ｍｍ□、肉厚１．５ｍｍの重量は０．３８２ｋｇ／ｍであり、０．３８２ｋｇ×２．７ｍ＝１．０３ｋｇである。そこで、例えば市販の幅２２ｍｍ、厚み３ｍｍの平鋼０．５１８ｋｇ／ｍを１３．５ｃｍ切り取って０．０７ｋｇとし、これを該角パイプの側面にねじ止めすることにより、カウンターウエイト１４を１．１ｋｇに調整する。
【００４４】
カウンターウエイト１４用の適当な角パイプの重量が灯具２０の重量より大きい場合には、灯具２０を重くすることにより調整する。
【００４５】
図４は、開口部４０の構成を示す。図４（Ａ）はカウンターウエイト１４の拘束状態を示し、図４（Ｂ）は拘束解除状態を示す。図４（Ｃ）は図４（Ａ）中のＣ−Ｃ線に沿った断面図である。
【００４６】
支柱１１の内壁に支持辺５１が突設され、その先端部にアーム５２の中間部が支軸５３で回動自在に支持されている。支持辺５１の中間部上端突片が９０゜図４（Ａ）の紙面垂直上方側へ屈曲されて、アームストッパー５１１となっている。アーム５２の一端部にはボルト５４が螺着され、これにワイヤロープ３７の下端部が係着されている。一方、カウンターウエイト１４の上端側の側面にボルト５５が植設され、これに対応してアーム５２に切欠５２１が形成され、図４（Ａ）に示す状態で切欠５２１内にボルト５５の中間部が係合する。支柱１１の、支持辺５１と反対側の内壁には、支持辺５６が立設され、これに孔５７が形成されている。孔５７に対応してアーム５２に孔５８が形成され、図４（Ａ）に示す状態で孔５７と孔５８の中心が一致し、これに蝶ねじ５９１が挿入されてナット５９２と螺合することにより、アーム５２が固定されて、カウンターウエイト１４が拘束状態になる。
【００４７】
この拘束状態では、カウンターウエイト１４の上昇が阻止されるとともに、プランジャ３２が孔３５に挿入されて、灯具２０も拘束状態になる。
【００４８】
この状態からアーム５２を時計回りに回動させると、ワイヤロープ３７がプランジャ３２を引っ張ってプランジャ３２の先端部が孔３５から抜き出され、灯具２０の拘束が解除される。この際、コイルスプリング３４の付勢力によりワイヤロープ３７が緊張し、アーム５２がスナップ動作し、アーム５２がアームストッパー５１１に押し付けられて、図４（Ｂ）の状態が維持される。この状態で、カウンターウエイト１４を把持し上昇させれば、灯具２０が下降する。
【００４９】
図６（Ｂ）の状態で電灯２１を取り替え、次にカウンターウエイト１４を下方へ移動させて図６（Ａ）の状態にし、図４においてアーム５２を反時計回りに回動止してスナップ動作させることにより、灯具２０がストッパー３０で拘束状態となる。この際、３５に取着された電極が１８内のコンセントに差し込まれる（電気回路については従来と同一であり、本案の主題ではないので図示省略されている）。
【００５０】
次に蝶ねじ５９１及びナット５９２でアーム５２を固定することにより、カウンターウエイト１４が拘束状態となる。
【００５１】
本実施例１では、開口部４０を介してカウンターウエイト１４を把持し、カウンターウエイト１４を上下動させることにより、灯具２０を通常使用位置の上限と電灯取替作業位置の下限との間で容易に昇降させることができる。また、構成がロッド１３の軸心を通る面内で略軸対称であり、支柱１１内の軸芯部にカウンターウエイト１４が配置されているので、カウンターウエイト１４を容易に把持できるとともに昇降動作時の摺動抵抗が小さくなり、操作性がよい。
【００５２】
昇降用モーターを用いていないので、安価に構成できるとともに、余分なメンテナンスが不要となる。
【００５３】
また、ウォームホイールとウォームのギヤを用いる必要がないので、カウンターウエイト１４を比較的高速に昇降動作させることができる。
【００５４】
さらに、カウンターウエイト１４が比較的長いことにより、カウンターウエイト１４の横断面を狭くすることできるので、横断面が比較的狭い中空支柱１１を用いることができ、これによりスリムな街路灯を構成することができる。
【００５５】
また、カウンターウエイト１４がガイドロッド１３に案内されているので、地面が振動してもカウンターウエイト１４が支柱１１の内壁に衝突せず、異音発生による不安感を周囲の人に与えることがないとともに、安定した昇降動作が可能となる。ガイドロッド１３の替わりにワイヤロープを用いることも可能であるが、ワイヤロープの場合には常にそれを緊張させておかなければならず、経時変化により延びて緩くなると円滑な昇降が妨げられる。ロッドの場合にはこのような問題が生ぜず、取り付けも容易である。
【００５６】
しかも、カウンターウエイト１４を地下に入れることができるので、比較的高い支柱型灯具昇降式街路灯を構成しても、電灯取替作業が容易な位置へ灯具２０が下降するまでカウンターウエイト１４を持ち上げることが可能となる。
【００５７】
その上、ストッパー５０とストッパー３０の拘束が連動しているので、操作が容易であるとともに、誤操作を防止することができ、加えて安全性の高い街路灯となる。
【００５８】
本実施例１は以上のような効果を奏するので、実用性が高い。
【実施例２】
【００５９】
図７は、本発明の実施例２の支柱型灯具昇降式街路灯の、中間部を図示省略した一部縦断面図である。
【００６０】
この街路灯は、電柱６０に支持されており、支柱１１の下部を地下に埋設する必要がない。すなわち、電柱６０に複数のバンド６１が巻着され、各バンド６１にブラケット６２が取着され、これらブラケット６２に支柱１１の背面が固着されている。
【００６１】
支柱１１の地下部が無いので、図１に示すカウンターウエイト１４を短くしなければならず、開口部４０からカウンターウエイト１４を完全に操作することができなくなる。すなわち、灯具２０を充分な高さまで下降させることができなくなる。そこで、本実施例２では、伸縮型（２段継竿式）のカウンターウエイト１４Ａを用いている。
【００６２】
図８は、カウンターウエイト１４Ａの構成を示す、一部を省略した縦断面図である。
【００６３】
このカウンターウエイト１４Ａは、断面円形の鋼材で形成され、大径パイプ６３に小径パイプ６４が接続されている。大径パイプ６３では、パイプ６３１の一端部に雌ねじリング６３２が熔着されている。一方、小径パイプ６４では、パイプ６４１の一端部に頭付雄ねじリング６４２が熔着されている。脱落防止のため、頭付雄ねじリング６４２の頭部直径は雄ねじ部直径よりも大きい。大径パイプ６３よりも小径パイプ６４の方が長くなっている。図８に示す伸張状態ではカウンターウエイト１４Ａが図１のカウンターウエイト１４と同じ長さになる。大径パイプ６３の長さは、図１中の長さＨ０に等しい。
【００６４】
図７に示す使用状態では、小径パイプ６４が大径パイプ６３内に遊挿されていて、カウンターウエイト１４Ａが短縮状態になっている。灯具２０を下降させる際には、大径パイプ６３を停止させたままで小径パイプ６４を上方に移動させる。次に雄ねじリング６４２を雌ねじリング６３２に螺合させて伸張状態にし、大径パイプ６３をさらに上方へ移動させて灯具２０を下降させる。灯具２０の上昇動作は、下降動作の逆である。
【００６５】
本実施例２によれば、伸縮型のカウンターウエイト１４Ａを用いているので、地下部を設けなくても、街路灯を通常の高さにすることができる。
【００６６】
なお、地下部を設けるとともに伸縮型のカウンターウエイト１４Ａを用いれば、より高い街路灯を構成することが可能となる。
【実施例３】
【００６７】
図９は、本発明の実施例３の支柱型昇降式看板を示しており、図９（Ａ）及び（Ｂ）はそれぞれ、開口部４０の蓋を取り外した状態の正面図及び側面図である。
【００６８】
この支柱型昇降式看板では、支柱１１の上部に、ブラケット７１及び７２を介してハウジング７０が取着されている。
【００６９】
図１１は、支柱型昇降式看板の上部縦断面図概略構成を示す。この図では、支柱１１とブラケット７１とハウジング７０との接続部が簡略図示されている。図１２は、ハウジング７０の内部を示す斜視図である。この図では、ハウジング７０の部材肉厚が無視されて描かれている。
【００７０】
ハウジング７０内では、看板７３がワイヤロープで懸吊されている。看板７３では、矩形のベースプレート７４上に２つの角形鋼材７５が平行に取着されてその間に溝が形成され、この溝に看板本体７６の下端部が嵌合され、角形鋼材７５及び看板本体７６の下端部にボルト７７１及び７７２が通されて、看板本体７６がベースプレート７４に固定されている。ベースプレート７４の上面両端部には係止環７８１及び７８２が取着され、一方、看板本体７６の上端中央部には係止環７８３が取着されている。
【００７１】
係止環７８１〜７８３にはそれぞれ、ワイヤロープ２６１〜２６３の一端部が係着されている。ワイヤロープ２６１〜２６３はそれぞれ上方のプーリー２８１〜２８３に掛けられて水平に伸び、支柱１１内の上方でそれぞれ図１３に示す如く、プーリー２７１〜２７３に掛けられて下方へ垂下し、図１４（Ａ）に示す如く、カウンターウエイト１４の上端面に取着された係止環２５１〜２５３に係着されている。
【００７２】
図１４（Ｂ）は、図９のＸ−Ｘ線に沿った横断面である。図１４（Ｃ）は、図１４（Ｂ）中のストッパー５０Ａの構成を示す斜視図である。
【００７３】
カウンターウエイト１４をその下限位置で拘束するために、カウンターウエイト１４の上端面に対応した支柱１１内に、ストッパー５０Ａが備えられている。ストッパー５０Ａでは、支柱１１の対向内壁面に支持辺５１Ａ及び５６Ａが突設され、支持辺５１Ａ及び５６Ａに形成された逆Ｕ字凹部にバー５２Ａの両端部が嵌合されて、バー５２Ａによりカウンターウエイト１４の上昇が阻止される。カウンターウエイト１４の回転を制限するために、支柱１１の隣り合う内壁面にバー５２Ｂ及びバー５２Ｃが横架されている。
【００７４】
支柱１１内の構成は、上記のこと以外は実施例１と同一である。
【００７５】
例えば、看板７３の重量が１１ｋｇで、カウンターウエイト１４の長さが２７００ｍｍである場合、カウンターウエイト１４として市販の５０ｍｍ□、肉厚３．２ｍｍ、（４．５ｋｇ／ｍ）×２．７ｍ＝１２．１５ｋｇ（看板７３の重量と略同一）の角形鋼管を用いることができる。
【００７６】
図１１に示す如く、看板７３の両側のハウジング７０の内壁面には、看板本体７６を照明するための蛍光灯７９１、７９２及び７９３、７９４が取着されている。
【００７７】
安全性を高めるために、看板７３の下方には、図９に示すようなストッパー８０が取着されている。ストッパー８０は、角形鋼材８１と角形鋼材８２とが逆Ｌ時型に接続され、角形鋼材８１と角形鋼材８２の間に補強用鋼材８３が接続されている。角形鋼材８１は、蝶番８４及び８５を介して支柱１１に蝶着されている。ボルト８６及び８７に対応して支柱１１に螺孔が形成され、通常では、図９の状態で角形鋼材８１がボルト８６及び８７により支柱１１に螺着されている。角形鋼材８１及び支柱１１のこれに対応した位置にそれぞれ係止具８８及び８９が取着され、図１０のストッパー退避状態で両者を係合可能となり、この係合によりストッパー退避状態が維持される。
【００７８】
看板７３を下降させる際には、ボルト８６及び８７が緩められて取り外され、ストッパー８０が回動される。図９に示す状態からストッパー８０を９０゜回動させると、図１０に示す如くストッパー８０が看板７３の下降路から退避し、看板７３の下降が可能となる。係止具８８と８９間を係合させ、看板７３を降下させて、バーゲンセールやメニュー変更等に応じ、看板を交換し又は看板の記載を変更する。これにより、宣伝効果を高めることができる。看板７３の昇降動作は、実施例１と同じである。
【００７９】
本実施例３では、看板７３に接近したストッパー８０により看板７３の落下を阻止するとともに、ストッパー８０の回動により看板７３を下降させることができる。
【００８０】
また、実施例１と同様に、安価かつ簡単な構成で、看板７３を容易、迅速、かつ安全に昇降させることができるので、実用性が高く、需要増大に寄与するところが大きい。
【００８１】
なお、上記実施例１〜３に関し、本発明には外にも種々の変形例が含まれる。
【００８２】
例えば、案内線部材としてのガイドロッド１３の替わりに、ワイヤロープを用いることができる。
【００８３】
例えば、図１５（Ａ）に示す如く、カウンターウエイト１４Ａを中実棒材とし、その対向する側面の一方の高さ方向に、環中心軸をカウンターウエイト１４Ａと平行にして複数の案内環７８４を取着し、他方のも同様に高さ方向に複数の案内環７８５を取着し、案内線部材としてのワイヤロープ１３Ａ１及び１３Ａ２を両案内環列の各々に挿通させ、ワイヤロープ１３Ａ１及び１３Ａ２の上下端を固定した構成であってもよい。案内環７８４、７８５の替わりに、案内パイプを用いてもよい。カウンターウエイト１４Ａを金属製中実ロッドで構成することにより、支柱１１の断面積を広くすることなく比較的大重量の高所設置物と略同一にすることができる。
【００８４】
また、図１５（Ｂ）に示す如く、支柱１１の内壁面にＩ形又はＨ形の鋼材のレール１３Ｂを案内線部材として支柱１１の長手方向に固着し、このレール１３Ｂに、Ｃ形鋼のカウンターウエイト１４Ｂを係合させ、カウンターウエイト１４Ｂをレール１３Ｂに沿って上下にスライドさせる構成であってもよい。
【００８５】
しかしながら、上述のようなカウンターウエイトの重量と長さの制限が満たされるならば、これらの構成よりも実施例１の構成の方がより安価にかつより短時間で組み立てることができ、さらに、カウンターウエイト１４を容易に把持できるとともに昇降動作時の摺動抵抗が小さいので、操作性がよい。
【００８６】
また、保持手段としてのストッパー３０において、コイルスプリング、ワイヤロープ及びプーリーの替わりに、直線運動をこれに直角な方向の直線運動に変換するスコット・ラッセル機構を用いて、ワイヤロープ３７の替わりのロッドを直線運動させることによりプランジャ３２を直線運動させる構成であってもよい。或いは開口部４０までスイッチ用電気配線をし、ソレノイドの磁力でプランジャ３２を直線駆動させる構成であってもよい。さらに、ワイヤロープ３７の替わりのロッドの上端側部に突設されたカムの周面にコイルスプリングの付勢力でプランジャ３２基端を押接させ、該ロッドを直線運動させることにより、カム周面でプランジャ３２を押圧しプランジャ３２を直線運動させる構成であってもよい。プランジャ３２と孔３５との関係を互いに逆にした構成であってもよい。しかしながら、これらの構成よりも実施例１のストッパー３０の方が簡単で安価に構成できる。
【００８７】
ストッパー８０は逆Ｌ字形に限定されず、例えば角形鋼材８３を省略してｙ字形とし、受け位置において看板７３に近接する角形鋼材８３の先端を受け部とする構成、或いは直角３角形板の一辺を受け部とする構成であってもよい。
【００８８】
好ましくは、カウンターウエイトの重量は、カウンターウエイト及び高所設置物をフリーにした状態でカウンターウエイト及び高所設置物が停止した状態になる程度に、高所設置物の重量に略等しく、カウンターウエイトの長さは、高所設置物を上記把持により地上高さ２ｍ以下まで降下させることができる長さであればよく、作業上より好ましいこの高さは１．８ｍ以下である。この点は、以下の実施例についても当てはまる。
【実施例４】
【００８９】
図１６は、本発明の実施例４の支柱型昇降式看板の概略斜視図であり、この支柱型昇降式看板では、看体７３Ａが中空の略直方体である。図１７は、この看体７３Ａの本体部を示す斜視図である。図１７（Ａ）に示すように、この本体部は、横断面Ｌ字形の４本の柱部材７３１の上端部及び下端部がそれぞれトレイ状の天板７３２及び底板７３３の四隅に固着され、底板７３３の底面にベースプレート７３４が重着されている。
【００９０】
図１８（Ａ）に示すように、メッセージが記載された布、紙、合成樹脂等の広告シート７３５ａが透明板７３５ｂと乳白色バックプレート７３５ｃとにより挟まれて看板７３５が構成されている。この看板７３５の上端部及び下端部に対応して、図１７（Ｂ）に示す如く、断面Ｌ字形のフレーム部材７３６及び７３７がそれぞれ天板７３２及び底板７３３の縁部に固着されて溝が形成されている。図１８（Ｂ）に示す如く、この溝に看板７３５が装着される。看体７３Ａの本体部の、一対の狭い開口面には、補強板７３８が固着される。
【００９１】
図１６に示す如く、看体７３Ａの天板７３２には係止環７８１及び７８２が取着され、これらのリングにそれぞれワイヤロープ２６１及び２６２の一端部が固着されている。支柱１１の上端部にはブラケット７１Ａの一端部が固着され、ブラケット７１Ａの内側上面には、係止環７８１及び７８２に対応してそれぞれプーリー２８１及び２８２が取着され、さらに支柱１１側にプーリー２７１及び２７２が取着され手いる。ワイヤロープ２６１及び２６２はそれぞれ、プーリー２８１及び２８２に巻き掛けられた後、プーリー２７１及び２７２に巻きかけられて下方に延び、これらの他端部がそれぞれ、カウンターウエイト１４Ｃの上端に取着された係止環２５１及び２５２に取着されている。
【００９２】
ワイヤロープ２６１及び２６２が挿通される穴が形成されたブラケット７１Ａの下面には、さらにこれらが挿通される穴が形成されたハウジング７０Ａの上面が固着され、ハウジング７０Ａと支柱１１との間には、ブラケット７２Ａ及び７２Ｂが固着されている。ハウジング７０Ａの一対の広い対向面には開口７０１が形成され、開口７０１が透明板、例えば透明アクリル板で覆われている。
【００９３】
図１９（Ａ）は、図１６中の１９Ａ−１９Ａ線に沿った横断面拡大図である。
【００９４】
支柱１１の内壁対向面に、横断面が矩形の、一対のガイドロッド１３Ｃが固着され、紙面垂直方向に伸びている。一方、カウンターウエイト１４Ｃは、平板１４１と１４２の間にスペーサプレート１４３が固着されており、平板１４１と１４２の対向面とスペーサプレート１４３の端面とにより形成される一対の溝にそれぞれ、１対のガイドロッド１３Ｃが挿入されている。これにより、カウンターウエイト１４Ｃがガイドロッド１３Ｃに案内されて昇降自在となっている。カウンターウエイト１４Ｃはさらに、平板１４２の表面の中央線に沿って取っ手１４５が固着され、図１６に示す、支柱１１に形成された開口部４０Ａを介し操作者が、取っ手１４５を把持して昇降させることが可能となっている。
【００９５】
図１９（Ｂ）は、カウンターウエイト１４Ｃからその平板１４２と取っ手１４５とを取り除いた状態の部分正面図である。スペーサプレート１４３の長さを調整することにより、カウンターウエイト１４Ｃの重量が看体７３Ａのそれに略等しくなるように調整される。分離したスペーサプレート１４３の間に、一対のガイドロッド１３Ｃに対応して、一対のローラベアリング１４６の軸の両端部が平板１４１と平板１４２とに支持され、ローラベアリング１４６のローラが回転自在となっている。これらローラベアリング１４６のローラ外周面がガイドロッド１３Ｃの端面とほぼ接するように配置されている。ローラベアリング１４６は、カウンターウエイト１４Ｃの長手方向の上部及び下部にそれぞれ一対配設されている。これにより、カウンターウエイト１４Ｃがガイドロッド１３Ｃに案内されてスムーズに昇降される。
【００９６】
支柱１１の看体７３Ａ側の面には、支柱１１の長手方向に沿って横断面略Ｃ字形のガイド部材９０が、開口部を外側に向けて取着されている。ガイド部材９０内には、横断面Ｉ字形の被ガイド部材９１が、そのくびれ部がガイド部材９０の開口部に対応するように挿入される。被ガイド部材９１の先端面は、図２２に示すようなブラケット９３のフロントプレート９３１に固着されている。ブラケット９３は、このフロントプレート９３１と、プレート９３１と直交するアッパープレート９３２と、直角を挟む２辺がプレート９３１とプレート９３２に固着された直角三角形の一対のリブ９３３と、アッパープレート９３２と平行にフロントプレート９３１の他端側に固着されたロアプレート９３４とを備えている。アッパープレート９３２の上面先端部は、図２１に示すように、看体７３Ａのベースプレート７３４の底面端部に固着されている。
【００９７】
したがって、看体７３Ａを昇降させると、ブラケット９３を介し看体７３Ａと一体になった被ガイド部材９１が、ガイド部材９０に案内されて昇降する。
【００９８】
これにより、看体７３Ａを昇降させる際に風や地震によって看体７３Ａが揺れても、支柱１１に対する看体７３Ａの揺れが規制されて、看体７３Ａを安全に昇降させることが可能となる。
【００９９】
図２１（Ｂ）は、図２１（Ａ）の２１Ｂ−２１Ｂ線に沿った横断面図である。図２１及び図２２に示すように、ロアプレート９３４の下面中央部には、ラッチ機構９４が立設されている。このラッチ機構９４に対応して図２１（Ａ）に示すように、支柱１１の側面に、ガイド部材９０に形成された不図示の孔を通って、係合ピンとしてのボルト９５が立設されている。
【０１００】
図２３は、ラッチ機構９４とボルト９５の係合動作説明図である。
【０１０１】
ラッチ機構９４は、ベース９４１にノブ９４２が、軸９４３の回りに回転自在に支持されている。ノブ９４２には、その回転方向に切欠凹部９４４が形成されている。
【０１０２】
図２１（Ａ）の状態から看体７３Ａを下降させると、ノブ９４２がボルト９５に当接する。この当接により、ノブ９４２に矢印方向の力が加わって、ノブ９４２が反時計回りに回転しようとする。さらに看体７３Ａを下降させると、ボルト９５が図２３（Ｂ）に示すように切欠凹部９４４内に入り、矢印方向の力が加わって、ノブ９４２が時計回りに回転しようとする。これにより、図２３（Ｃ）に示す如く、ボルト９５が切欠凹部９４４内に入り込み、ラッチ機構９４の昇降、すなわち看体７３Ａの昇降が阻止される。
【０１０３】
看体７３Ａを下降させ、上記のような動作により図２３（Ｃ）に示す状態になったときに、看体７３Ａのさらなる下降を阻止してラッチ機構９４が機械的に損傷を受けるのを防止するために、図２０に示す如く、カウンターウエイト１４Ｃに対するストッパー機構が備えられている。
【０１０４】
すなわち、カウンターウエイト１４Ｃの平板１４２に、係合ピンとしてのボルト９７１が立設され、これに対応して支柱１１の内壁にストッパー９６が立設されている。ストッパー９６にはその下部及び上部にそれぞれ切欠凹部９６１及び９６２が形成されている。カウンターウエイト１４Ｃを上昇させると、その上限位置、すなわち図２３（Ｃ）に示す状態で、ボルト９７１が切欠凹部９６１に係合して、カウンターウエイト１４Ｃのさらなる上降、すなわちブラケット９３のさらなる下降が阻止される。
【０１０５】
また、カウンターウエイト１４Ｃの上記上限位置でカウンターウエイト１４Ｃの昇降をさらに強固に阻止するために、カウンターウエイト１４Ｃの平板１４２の下部に錠９８Ａが取着され、カウンターウエイト１４Ｃの上記上限位置で錠９８Ａに対応して、支柱１１の内壁に孔部材９９が固着されている。カウンターウエイト１４Ｃの上限位置において、ノブ９８１を持ち上げてピン９８２を孔部材９９側へ移動させることにより、ピン９８２の孔部材９９側先端部が孔部材９９の孔に挿入されて、カウンターウエイト１４Ｃの昇降がさらに強固に阻止される。この状態で看板の取り替え作業が行われる。
【０１０６】
看板の取り替え作業終了後に、この係合を解くとともに、ノブ９４２の端部を持ち上げてボルト９５とノブ９４２との係合を解いて、カウンターウエイト１４Ｃを下降させるより、看体７３Ａを上昇させる。この場合、看体７３Ａのベースプレート７３４がハウジング７０Ａの下端と衝突するのを防止するために、平板１４２の上部にボルト９７２が立設されている。これにより、図２４に示す看体７３Ａの上限位置、すなわちカウンターウエイト１４Ｃの下限位置で、ボルト９７２がストッパー９６の切欠凹部９６２と係合して、カウンターウエイト１４Ｃのさらなる下降が阻止される。
【０１０７】
カウンターウエイト１４Ｃの平板１４２の上部にはさらに、カウンターウエイト１４Ｃの下限位置で孔部材９９と対応するように錠９８Ｂが取着されており、この位置で錠９８Ｂのピン９８２を孔部材９９と係合させることにより、カウンターウエイト１４Ｃの昇降が確実に阻止される。
【０１０８】
図２４に示す看体７３Ａの上限位置で、図１９に示す如く、カバー８２Ａでガイド部材９０を容易に覆うことが可能となっている。すなわち、カバー８２Ａの一方の側部と支柱１１の面との間に不図示の蝶番が取着されており、その軸を中心にカバー８２Ａが回動自在となっている。カバー８２Ａの他方の側部には不図示の孔が形成され、これにボルト８２１を挿入してボルト８２１を支柱１１に螺着させることにより、図２４に示す状態となる。
【０１０９】
これにより、ガイド部材９０と被ガイド部材９１との間に異物が入るのを防止することができるとともに、地震により例えワイヤロープ２６１、２６２の両方が切断され、さらに錠９８Ｂと孔部材９９との係合によるストッパー機構が破壊されたとしても、看体７３Ａの落下を防止することが可能となる。
【実施例５】
【０１１０】
本発明の実施例５では、看板取り替え作業において、地震や風により看体７３Ａが揺れるのをさらに防止する機構を備えている。
【０１１１】
すなわち、図２５及び図２６に示すように、ハウジング７０Ａ内の、支柱１１からより離れた方の一対の角部の各々に、一対のガイド部材１０１がその長手方向を垂直方向にして備えられ、ガイド部材１０１とハウジング７０Ａの内面との間の隙間に、断面Ｌ字形の規制部材１０２が挿入されて案内される。規制部材１０２の上端には、当接部材１０３が取着され、当接部材１０３の下面が、看体７３Ａの天板７３２の隅部に当接する。看体７３Ａを下降させると、これとともに規制部材１０２がガイド部材１０１に案内されながらその自重で図２７及び図２８に示す如く下降する。
【０１１２】
これにより、看体７３Ａが下降する際に、規制部材１０２が看体７３Ａの外側角部に対応するので、看体７３Ａが地震により振動しても、その揺れが規制部材１０２により規制される。
【０１１３】
看体７３Ａを図２８に示す状態から上昇させ、当接部材１０３の下面が天板７３２に当接すると、天板７３２により規制部材１０２が持ち上げられる。したがって、図２５に示す如く、看体７３Ａの上限位置では、ハウジング７０Ａ内に規制部材１０２が収納される。
【０１１４】
なお、ガイド部材１０１、規制部材１０２及び当接部材１０３による看体７３Ａに対するガイド機構を、ハウジング７０Ａ内の支柱１１側の一対の角部に同様に備えてもよい。
【実施例６】
【０１１５】
図２９は、大型の看体７３Ｂを備えた支柱型昇降式看板の構成を、本発明の実施例６として示す。
【０１１６】
この場合、看体７３Ｂをその両側から支えた方が好ましいので、支柱１１と支柱１１Ａとの間に看体７３Ｂが配置されている。図２９では、支柱型昇降式看板の正面から見て、支柱型昇降式看板の左半分の構成を中心線の回りに１８０°回転させたものが支柱型昇降式看板の右半分の構成と同一になっている。図２９では、回転対称な対応する構成要素に類似の符号を付している。
【０１１７】
この構成の動作は以上の説明から明らかであるので、その説明を省略する。
【０１１８】
なお、回転対称な構成の一方側には昇降操作用の開口や錠を設けない構成であってもよい。また回転対称な構成の替わりに、支柱型昇降式看板の中央線を通る面で対象な構成にしてもよいことは勿論である。
【０１１９】
また、本発明には以上の実施例の種々の組み合わせが含まれるとともに、本発明は昇降機構に特徴があるので、以上の実施例を種々の高所設置物に適用可能である。
【図面の簡単な説明】
【０１２０】
【図１】本発明の実施例１の支柱型灯具昇降式街路灯の一部縦断面図であり、（Ａ）及び（Ｂ）はそれぞれ灯具が上限位置及び下限より少し上の位置にある場合を示す図である。
【図２】図１（Ａ）の一部を省略した拡大縦断面図である。
【図３】カウンターウエイトの上端付近を示す斜視図である。
【図４】手動操作部である開口部の構成を示す図であり、（Ａ）はカウンターウエイト拘束状態を示す一部断面正面図、（Ｂ）はカウンターウエイト拘束解除状態を示す一部断面正面図、（Ｃ）は（Ａ）のＣ−Ｃ線に沿った横断面図である。
【図５】本発明の実施例１の支柱型灯具昇降式街路灯の正面図である。
【図６】（Ａ）及び（Ｂ）はそれぞれ、上記開口部の蓋を取り外した状態での図１（Ａ）及び（Ｂ）に対応した正面図である。
【図７】本発明の実施例２の支柱型灯具昇降式街路灯の、中間部を図示省略した一部縦断面図である。
【図８】図７中のカウンターウエイトの構成を示す、一部を省略した縦断面図である。
【図９】本発明の実施例３の、開口部の蓋を取り外した状態の支柱型昇降式看板を示す図であり、（Ａ）及び（Ｂ）はそれぞれ正面図及び側面図である。
【図１０】図９（Ｂ）のストッパーが看板下降路から退避した状態を示す図であり、（Ａ）及び（Ｂ）はそれぞれ看板が上限位置及び下限位置にあるときの側面図である。
【図１１】図９（Ａ）の上部の拡大概略縦断面図である。
【図１２】この上部の概略斜視図である。
【図１３】この上部の看板吊り下げ機構を示す斜視図である。
【図１４】構成を示す図であり、（Ａ）はカウンターウエイト上端付近の斜視図、（Ｂ）は手動操作部である開口部の横断面図、（Ｃ）は（Ａ）中のストッパーの構成を示す斜視図である。
【図１５】本発明の変形例を示す、支柱型高所設置物昇降装置の支柱の横断面図である。
【図１６】本発明の実施例４の支柱型昇降式看板の上部概略斜視図である。
【図１７】図１６中の看体７３Ａの本体部を示す斜視図である。
【図１８】（Ａ）は広告シート７３５ａが透明板７３５ｂとバックプレート７３５ｃとにより挟まれて構成される看板７３５の分解斜視図であり、（Ｂ）は看体本体部への看板の装着を示す分解斜視図である。
【図１９】（Ａ）は図１６中の１９Ａ−１９Ａ線に沿った横断面拡大図であり、（Ｂ）は（Ａ）中のカウンターウエイト１４Ｃからその平板１４２と取っ手１４５とを取り除いた状態の部分正面図である。
【図２０】中空支柱内のカウンターウエイト１４Ｃの一部縦断面部分正面図である。
【図２１】（Ａ）は看体と中空支柱の結合部付近を示す正面図であり、（Ｂ）は（Ａ）中の２１Ｂ−２１Ｂ線に沿った横断面図である。
【図２２】看体と中空支柱の間に配設される結合部の斜視図である。
【図２３】ラッチ機構９４と係合ピン９５（ボルト）の係合動作説明図である。
【図２４】看体７３Ａの上限位置でガイド９０をカバー８２Ａで覆った状態における、看体と中空支柱の結合部付近を示す正面図である。
【図２５】（Ａ）は本発明の実施例５の支柱型昇降式看板の看体と中空支柱の結合部付近を示す正面図であり、（Ｂ）は（Ａ）中の２５Ｂ−２５Ｂ線に沿った横断面図である。
【図２６】ハウジング７０Ａ内の角部の看体昇降時揺れ規制構造を示す斜視図である。
【図２７】上部付近での看体昇降状態を示す正面図である。
【図２８】上部付近での看体昇降状態を示す正面図である。
【図２９】本発明の実施例６の、大型の看体７３Ｂを備えた支柱型昇降式看板の上部概略構成を示す斜視図である。
【符号の説明】
【０１２１】
１０  穴
１１  支柱
１２  基礎コンクリート
１３、１３Ｃ  ガイドロッド
１４、１４Ａ〜１４Ｄ  カウンターウエイト
１４１、１４２  平板
１４３  スペーサプレート
１４５  取っ手
１４６  ローラベアリング
１５  底板
１６  ブリッジ
１７１、１７２、５９２  ナット
１８  灯具支持部
１９  凹部
２０  灯具
２１  電灯
２２  支持部材
２３  笠
２４  ヘッド
２５１〜２５３、７８１〜７８３  係止環
２６１〜２６３、３７  ワイヤロープ
２７１〜２７３、２８１〜２８３、３８  プーリー
３０、５０、５０Ａ、８０  ストッパー
３１  シリンダー
３２  プランジャ
３３  フランジ
３４  コイルスプリング
３５、５７、５８  孔
３６  支持片
４０、４０Ａ  開口部
４１  蓋
５１、５６、５１Ａ、５６Ａ  支持辺
５１１  アームストッパー
５２  アーム
５２Ａ〜５２Ｃ  バー
５２１  切欠
５３  支軸
５４、５５、７７１、７７２、８６、８７  ボルト
５９１  蝶ねじ
６０  電柱
６１  バンド
６２、９３  ブラケット
６３  大径パイプ
６３１、６４１、６４２  パイプ
６３２  雌ねじリング
６４  小径パイプ
６４３、６４４  雄ねじリング
７０、７０Ａ、７０Ｂ  ハウジング
７０１  開口
７１、７１Ａ、７１Ｂ、７２、７２Ａ〜７２Ｄ  ブラケット
７３、７３５  看板
７３Ａ、７３Ｂ  看体
７３１  柱部材
７３２  天板
７３３  底板
７４、７３４  ベースプレート
７３５ａ  広告シート
７３５ｂ  透明板
７３５ｃ  バックプレート
７３６、７３７  フレーム部材
７３８  補強板
７５、８１〜８３  角形鋼材
７６  看板本体
７９１〜７９４  蛍光灯
８２Ａ  カバー
８４、８５  蝶番
９０、１０１  ガイド部材
９１  被ガイド部材
９３１〜９３４プレート
９４  ラッチ機構
９４１  ベース
９４２、９８１  ノブ
９４３  軸
９４４、９６１、９６２  切欠凹部
９５、９７１、９７２  ボルト
９６  ストッパー
９８Ａ、９８Ｂ  錠
９８２  ピン
９９  孔部材
１０２  規制部材
１０３  当接部材
【図１】
2006196442.tif 000003
【図２】
2006196442.tif 000004
【図３】
2006196442.tif 000005
【図４】
2006196442.tif 000006
【図５】
2006196442.tif 000007
【図６】
2006196442.tif 000008
【図７】
2006196442.tif 000009
【図８】
2006196442.tif 000010
【図９】
2006196442.tif 000011
【図１０】
2006196442.tif 000012
【図１１】
2006196442.tif 000013
【図１２】
2006196442.tif 000014
【図１３】
2006196442.tif 000015
【図１４】
2006196442.tif 000016
【図１５】
2006196442.tif 000017
【図１６】
2006196442.tif 000018
【図１７】
2006196442.tif 000019
【図１８】
2006196442.tif 000020
【図１９】
2006196442.tif 000021
【図２０】
2006196442.tif 000022
【図２１】
2006196442.tif 000023
【図２２】
2006196442.tif 000024
【図２３】
2006196442.tif 000025
【図２４】
2006196442.tif 000026
【図２５】
2006196442.tif 000027
【図２６】
2006196442.tif 000028
【図２７】
2006196442.tif 000029
【図２８】
2006196442.tif 000030
【図２９】
2006196442.tif 000031